(57)【要約】【課題】ＵＭＴＳにおけるＵＥ間のセッションにおいて、要求帯域を調整可能な帯域設定方法を得ること。【解決手段】本発明にかかる帯域設定方法は、ＵＭＴＳにおけるＵＥ間でＳＩＰおよびＳＤＰによるセッションを行う場合において、ＳＤＰ記述のｂパラメータによる要求帯域に基づいてＱｏＳパラメータである上りおよび下りの最大ビットレートを決定する際の帯域設定方法であって、たとえば、ＡＦセッション制御部２１がＵＥ間で所定のセッション確立処理を実行し、ピークレート測定部２５がセッション確立後の受信パケットのピークレートを測定し、レート比較部２６が、ピークレートが要求帯域を越えた回数が規定値を越えた場合に、当該要求帯域を特定量だけ増加する調整を行い、前記ＡＦセッション制御部２１が前記調整後の要求帯域に基づいて再び所定のセッション確立処理を実行する。【選択図】        図２
2008177777.tif 000002
【特許請求の範囲】
【請求項１】
ＵＭＴＳにおけるＵＥ間でＳＩＰおよびＳＤＰによるセッションを行う場合において、ＳＤＰ記述のｂパラメータによる要求帯域に基づいてＱｏＳパラメータである上りおよび下りの最大ビットレートを決定する際の、帯域設定方法であって、
前記ＵＥ間で所定のセッション確立処理を実行するセッション確立ステップと、
前記セッション確立後の受信パケットのピークレートを測定するピークレート測定ステップと、
前記ピークレートが前記要求帯域を越えた回数が規定値を越えた場合に、当該要求帯域を特定量だけ増加する調整を行う要求帯域調整ステップと、
前記調整後の要求帯域に基づいて再び所定のセッション確立処理を実行する再セッション確立ステップと、
を含むことを特徴とする帯域設定方法。
【請求項２】
前記再セッション確立ステップでは、ＰＤＦにより再確立が拒否された場合、拒否された送信元と送信先を識別するためのフロー識別子、使用アプリケーション、前記調整後の要求帯域を対応付けて保存し、
以降、過去に拒否された要求帯域に増加して再度セッション確立処理を実行しようとしている場合は、当該要求帯域の増加を実施しないように制御することを特徴とする請求項１に記載の帯域設定方法。
【請求項３】
ＵＭＴＳにおけるＵＥ間でＳＩＰおよびＳＤＰによるセッションを行う場合において、ＳＤＰ記述のｂパラメータによる要求帯域に基づいてＱｏＳパラメータである上りおよび下りの最大ビットレートを決定する際の、帯域設定方法であって、
前記ＵＥ間で所定のセッション確立処理を実行するセッション確立ステップと、
前記セッション確立後の受信パケットのピークレートを測定するピークレート測定ステップと、
前記ピークレートが前記要求帯域を越えた回数が規定値を越えた場合に、当該要求帯域を特定量だけ増加する調整を行い、その後、送信元と送信先を識別するためのフロー識別子、使用アプリケーション、前記調整後の要求帯域を対応付けて保存する要求帯域調整ステップと、
を含み、
前記セッション確立ステップでは、新規のセッション確立処理を実行する場合、当該セッションにおけるフロー識別子および使用アプリケーションに対応する要求帯域を取得し、当該要求帯域に基づいてセッション確立処理を実行することを特徴とする帯域設定方法。
【請求項４】
ＵＭＴＳにおけるＵＥ間でＳＩＰおよびＳＤＰによるセッションを行う場合において、ＳＤＰ記述のｂパラメータによる要求帯域に基づいてＱｏＳパラメータである上りおよび下りの最大ビットレートを決定する最大ビットレート決定方法であって、
前記ＵＥ間で所定のセッション確立処理を実行するセッション確立ステップと、
前記セッション確立の際に決定した上りおよび下り最大ビットレートを、使用アプリケーションとともに保存するビットレート保存ステップと、
を含み、
前記セッション確立ステップでは、前記セッション確立処理においてＳＤＰ記述のｂパラメータが設定されていない場合、当該セッションの使用アプリケーションに基づいて前記保存されている上りおよび下り最大ビットレートを取得することを特徴とする最大ビットレート決定方法。
【請求項５】
ＵＭＴＳにおけるＵＥ間でＳＩＰおよびＳＤＰによるセッションを行う場合において、ＳＤＰ記述のｂパラメータによる要求帯域に基づいてＱｏＳパラメータである上りおよび下りの最大ビットレートを決定する最大ビットレート決定方法であって、
前記ＵＥ間で所定のセッション確立処理を実行するセッション確立ステップと、
前記セッション確立の際に決定した上りおよび下り最大ビットレートを、送信元と送信先を識別するためのフロー識別子および使用アプリケーションとともに保存するビットレート保存ステップと、
を含み、
前記セッション確立ステップでは、前記セッション確立処理においてＳＤＰ記述のｂパラメータが設定されていない場合、当該セッションのフロー識別子および使用アプリケーションに基づいて前記保存されている上りおよび下り最大ビットレートを取得することを特徴とする最大ビットレート決定方法。
【請求項６】
ＵＭＴＳにおけるＵＥとして動作する端末装置間でＳＩＰおよびＳＤＰによるセッションを行う場合において、ＳＤＰ記述のｂパラメータによる要求帯域に基づいてＱｏＳパラメータである上りおよび下りの最大ビットレートを決定する端末装置であって、
前記セッションの確立処理を実行するセッション制御部と、
前記セッション確立後の受信パケットのピークレートを測定するピークレート測定部と、
前記ピークレートと前記要求帯域とを比較し、当該ピークレートが当該要求帯域を越えた回数が規定値を越えた場合に、当該要求帯域を特定量だけ増加する調整を行うレート比較部と、
を備え、
前記セッション制御部は、前記調整後の要求帯域に基づいて再びセッション確立処理を実行することを特徴とする端末装置。
【請求項７】
前記セッション制御部は、
ＰＤＦにより再確立が拒否された場合、拒否された送信元と送信先を識別するためのフロー識別子、使用アプリケーション、前記調整後の要求帯域を対応付けて保存し、
以降、過去に拒否された要求帯域に増加して再度セッション確立処理を実行しようとしている場合は、当該要求帯域の増加を実施しないように制御することを特徴とする請求項６に記載の端末装置。
【請求項８】
ＵＭＴＳにおけるＵＥとして動作する端末装置間でＳＩＰおよびＳＤＰによるセッションを行う場合において、ＳＤＰ記述のｂパラメータによる要求帯域に基づいてＱｏＳパラメータである上りおよび下りの最大ビットレートを決定する端末装置であって、
前記セッションの確立処理を実行するセッション制御部と、
前記セッション確立後の受信パケットのピークレートを測定するピークレート測定部と、
前記ピークレートと前記要求帯域とを比較し、当該ピークレートが当該要求帯域を越えた回数が規定値を越えた場合に、当該要求帯域を特定量だけ増加する調整を行い、その後、送信元と送信先を識別するためのフロー識別子、使用アプリケーション、前記調整後の要求帯域を対応付けて保存するレート比較部と、
を備え、
前記セッション制御部は、新規のセッション確立処理を実行する場合、当該セッションにおけるフロー識別子および使用アプリケーションに対応する要求帯域を取得し、当該要求帯域に基づいてセッション確立処理を実行することを特徴とする端末装置。
【請求項９】
ＵＭＴＳにおけるＵＥとして動作する端末装置間でＳＩＰおよびＳＤＰによるセッションを行う場合において、ＳＤＰ記述のｂパラメータによる要求帯域に基づいてＱｏＳパラメータである上りおよび下りの最大ビットレートを決定する端末装置であって、
前記セッションの確立処理を実行するセッション制御部と、
前記セッション確立の際に決定した上りおよび下り最大ビットレートを、使用アプリケーションとともに保存するマッピング部と、
を備え、
前記セッション制御部は、前記セッション確立処理においてＳＤＰ記述のｂパラメータが設定されていない場合、当該セッションの使用アプリケーションに基づいて前記保存されている上りおよび下り最大ビットレートを取得することを特徴とする端末装置。
【請求項１０】
ＵＭＴＳにおけるＵＥとして動作する端末装置間でＳＩＰおよびＳＤＰによるセッションを行う場合において、ＳＤＰ記述のｂパラメータによる要求帯域に基づいてＱｏＳパラメータである上りおよび下りの最大ビットレートを決定する端末装置であって、
前記セッションの確立処理を実行するセッション制御部と、
前記セッション確立の際に決定した上りおよび下り最大ビットレートを、送信元と送信先を識別するためのフロー識別子および使用アプリケーションとともに保存するマッピング部と、
を備え、
前記セッション制御部は、前記セッション確立処理においてＳＤＰ記述のｂパラメータが設定されていない場合、当該セッションのフロー識別子および使用アプリケーションに基づいて前記保存されている上りおよび下り最大ビットレートを取得することを特徴とする端末装置。
【発明の詳細な説明】
【技術分野】
【０００１】
本発明は、ＱｏＳ（Quality  of  Service）マッピングにおける帯域設定方法に関するものであり、特に、ＵＭＴＳ（Universal  Mobile  Telecommunications  System）におけるUE（User  Equipment）が、セッションにおいて用いられるＳＤＰ（Session  Description  Protocol）記述のｂパラメータによる要求帯域に基づいてＱｏＳパラメータである上りおよび下りの最大ビットレートを決定する際の帯域設定方法、および前記ＳＤＰ記述のｂパラメータが設定されていない場合の最大ビットレート決定方法に関するものである。
【背景技術】
【０００２】
従来、「ＵＭＴＳ  ＱｏＳパラメータ」である上りおよび下り最大ビットレートを決定する際においては、下記非特許文献１に記載されているとおり、ＳＤＰ記述のｂパラメータによる要求帯域のみで決定されていた。ただし、必要に応じて、アプリケーション毎に使用されるコーデックを想定し、より詳細に要求帯域を決定することが可能である。
【０００３】
なお、上りおよび下り最大ビットレートを決定するための要求帯域である上記ＳＤＰ記述のｂパラメータは、下記非特許文献２に記載されているとおり、オプションであるため、必ず設定されているとは限らない。
【０００４】
【非特許文献１】3GPP  TS  29.208  V6.6.1(2006-03)  “End-to-end  Quality  of  Service(QoS)  signaling  flows”
【非特許文献２】RFC  3556  “Session  Description  Protocol(SDP)  Bandwidth  Modifiers  for  RTP  Control  Protocol(RTCP)  Bandwidth”
【発明の開示】
【発明が解決しようとする課題】
【０００５】
しかしながら、上記非特許文献１に記載の従来技術においては、使用するアプリケーション毎に簡単な算出式で帯域の余裕を見込んでいるものの、データが一時的にバースト性を持って送信されることにより、上記で決定した上りおよび下り最大ビットレートを上回る可能性があり、これを救済する仕組みが存在しない、という問題があった。
【０００６】
上りおよび下り最大ビットレートを決定するための要求帯域である上記ＳＤＰ記述のｂパラメータは、上記非特許文献２に記載されているとおり、オプションであるため、必ず設定されているとは限らない。したがって、ｂパラメータが設定されていない場合には、効率的に上りおよび下り最大ビットレートを決定することができない、という問題もあった。
【０００７】
本発明は、上記に鑑みてなされたものであって、決定した上りおよび下り最大ビットレートを上回るデータを送信する場合、すなわち、要求帯域を超過した場合に、当該要求帯域を調整可能な帯域設定方法を得ることを目的とする。
【０００８】
また、ＳＤＰによるセッション確立時にｂパラメータが設定されていない場合であっても、適切に上りおよび下り最大ビットレートを決定可能な最大ビットレート決定方法を得ることを目的とする。
【課題を解決するための手段】
【０００９】
上述した課題を解決し、目的を達成するために、本発明にかかる帯域設定方法は、ＵＭＴＳにおけるＵＥ間でＳＩＰおよびＳＤＰによるセッションを行う場合において、ＳＤＰ記述のｂパラメータによる要求帯域に基づいてＱｏＳパラメータである上りおよび下りの最大ビットレートを決定する際の帯域設定方法であって、たとえば、前記ＵＥ間で所定のセッション確立処理を実行するセッション確立ステップと、前記セッション確立後の受信パケットのピークレートを測定するピークレート測定ステップと、前記ピークレートが前記要求帯域を越えた回数が規定値を越えた場合に、当該要求帯域を特定量だけ増加する調整を行う要求帯域調整ステップと、前記調整後の要求帯域に基づいて再び所定のセッション確立処理を実行する再セッション確立ステップと、を含むことを特徴とする。
【発明の効果】
【００１０】
この発明によれば、決定した上りおよび下り最大ビットレートを上回るデータを送信する場合、すなわち、要求帯域を超過した場合であっても、当該要求帯域を調整して再びセッションを確立することができるため、実際の要求帯域に則していない状況を回避することができる、という効果を奏する。
【発明を実施するための最良の形態】
【００１１】
以下に、本発明にかかる帯域設定方法および最大ビットレート決定方法の実施の形態を図面に基づいて詳細に説明する。なお、この実施の形態によりこの発明が限定されるものではない。
【００１２】
実施の形態１．
図１は、本発明にかかる帯域設定方法を実現可能な通信システムの概略構成を示す図である。図１に示すように、本実施の形態にかかる通信システムは、たとえば、携帯電話に代表されるユーザ端末であるＵＥ（User  Equipment）１ａ，１ｂと、各ＵＥと無線通信プロトコルで通信しトラフィックのシグナリングおよびハンドリングを行うＲＮＳ（Radio  Network  System）２ａ，２ｂと、ＵＥの位置管理，セキュリティ管理，アクセス制御，パケットデータ網の接続を行うＣＮ（Core  Network）３ａ，３ｂと、ＵＥとの間でＳＩＰ（Session  Initiation  Protocol）／ＳＤＰ（Session  Description  Protocol）に代表されるＡＦセッションを行うＡＦ（Application  Function）４ａ，４ｂと、を備えている。また、上記ＣＮ３ａ，３ｂは、ＱｏＳ（Quality  of  Service）保証のためのポリシー決定を行うＰＤＦ（Policy  Decision  Function）５ａ，５ｂを有する。
【００１３】
なお、ＲＮＳ２ａ，２ｂは、３Ｇ（3rd  Generation）で用いられる通信システムの構成要素であるが、２．５ＧにおけるＢＳＳ（Base  Station  Subsystem）であってもよい。
【００１４】
また、図２は、上記ＵＥ１ａおよび１ｂの概略構成を示す図である。図２に示すように、ＵＥ１ａまたは１ｂは、それぞれ対応するＡＦ４ａ，４ｂとＡＦセッションを行うＡＦセッション制御部（AF  Client）２１と、DiffServ（Differentiated  Services）エッジ機能やRSVP（Resource  reSerVation  Protocol）機能を含み、それぞれ対応するＣＮ３ａ，３ｂとＩＰレベルで通信を行うＩＰ通信制御部（IP  BS  Manager）２２と、ＱｏＳパラメータのマッピングを含み、ＩＰベアラサービスとＵＭＴＳ（Universal  Mobile  Telecommunications  System）ベアラサービスとのインターワークを提供するインターワーク制御部（Translation/mapping  Function）２３と、ＵＭＴＳベアラサービスを提供するＵＭＴＳベアラサービス制御部（UMTS  BS  Manager）２４と、ＡＦセッション確立後のＵＥが受信するデータのピークレートを測定するピークレート測定部（Peak  Rate  Measurement  Function）２５と、ピークレート測定部２５により測定されたピークレートとインターワーク制御部２３が保持する要求帯域とを比較し、その結果をＡＦセッション制御部（AF  Client）２１に通知するレート比較部（Rate  Comparing  Function）２６と、を備えている。
【００１５】
なお、図２には明示していないが、ＡＦセッション制御部２１，ＵＭＴＳベアラサービス制御部２４，ピークレート測定部２５は、外部とデータおよびシグナリングデータを送受信するためのインタフェースを、独自にまたは共通で持つものとする。
【００１６】
ここで、上記通信システムにおける各部の動作を説明する。ＵＥ１ａおよび１ｂは、それぞれ他のＵＥと、データ、特に、画像や音声などのアプリケーションデータの送受信を行う（ここではＵＥ１ａと１ｂとの間でデータの送受信を行う）ために、それぞれＣＮ１３ａ，３ｂを介して、対応するＡＦ４ａ，４ｂとの間でＡＦセッションを実行する。また、同様の目的で、ＡＦ４ａと４ｂとの間もＡＦセッションを実行する。これにより、ＵＥ間でＡＦセッションの実行が可能となる。
【００１７】
また、上記ＡＦセッションを確立する際には、予め通信システムの運用ポリシーが決定されており、ＡＦセッションの確立を許可するかどうかをＰＤＦ（５ａ，５ｂ）により決定する。ＵＥ間でＡＦセッションを確立する際のシーケンスの一例を図３に示す。図３において、ＡＦセッション確立時にやりとりされる「Session  Progress」内に要求帯域を示すＳＤＰ記述のｂパラメータが含まれる場合がある。このｂパラメータを使用して、インターワーク制御部２３が、「ＵＭＴＳ  ＱｏＳパラメータ」へのマッピング処理を実施する。なお、マッピングの方法自体は、上記非特許文献１等に記載されているため、本実施の形態においてはその説明を省略する。ここでは、インターワーク制御部２３が、マッピングの際に使用した要求帯域をレート比較部２６に通知する。
【００１８】
一方、ＡＦセッション確立後、さらに、ＵＥ（１ａ，１ｂ）間においてデータの送受信が開始された後、ピークレート測定部２５では、受信データのピークレートを測定する。そして、測定したピークレートをレート比較部２６に通知する。
【００１９】
そして、レート比較部２６では、上記でそれぞれ通知された要求帯域とピークレートとを比較する。このとき、ピークレートが要求帯域を、予めＵＥに対して設定しておいた境界値（回数）以上にわたって越えた場合、その結果をＡＦセッション制御部２１に対して通知する。
【００２０】
上記比較した結果の通知を受信したＡＦセッション制御部２１は、たとえば、ＳＤＰ記述のｂパラメータによる要求帯域を予め設定された一定の割合で増加し、再びＡＦセッション確立を実施する。
【００２１】
このように、本実施の形態においては、上記ＳＤＰ記述のｂパラメータによる要求帯域と上記測定したピークレートとの比較結果、および予め設定された境界値（回数）に基づいて、要求帯域を調整し、その後、再度ＡＦセッション確立を実施することとした。これにより、決定した上りおよび下り最大ビットレートを上回るデータを送信する場合、すなわち、要求帯域を超過した場合であっても、その状態を救済することができる。
【００２２】
実施の形態２．
つづいて、実施の形態２の帯域設定方法について説明する。なお、実施の形態２の帯域設定方法を実現可能な通信システムの概略構成については、前述した実施の形態１と同様のためその説明を省略する。本実施の形態においては、実施の形態１と構成の異なる各ＵＥについて説明する。
【００２３】
図４は、実施の形態２のＵＥ１ａおよび１ｂの概略構成を示す図である。実施の形態２のＵＥは、図２に示すＡＦセッション制御部２１内に、送信元と送信先を識別するためのフロー識別子とＳＤＰ記述におけるｍパラメータに代表される使用アプリケーションとを保持するためのＩＣＦ（Information  Cache  Function）部３１、を備えている。その他の構成については、前述した実施の形態１と同様である。
【００２４】
本実施の形態のＵＥにおいては、まず、前述した実施の形態１と同様の処理で要求帯域を調整し、再度ＡＦセッション確立を実施する。この際、要求帯域を増加させているため、ＰＤＦ（５ａ，５ｂ）においてＡＦセッションが拒否される可能性がある。
【００２５】
たとえば、上記のようにＡＦセッションが拒否された場合、ＡＦセッション制御部２１は、拒絶された送信元と送信先を識別するためのフロー識別子，使用アプリケーション，要求帯域を対応付けて、ＩＣＦ部３１に保持しておく。
【００２６】
以降、前述した実施の形態１と同様の処理で要求帯域を増加させて再度ＡＦセッションを確立する場合、ＡＦセッション制御部２１は、ＩＣＦ部３１に保持されている上記情報を確認し、過去に拒否された要求帯域で再度ＡＦセッションを確立しようとしている場合については要求帯域の増加を実施しないように制御する。
【００２７】
このように、本実施の形態においては、実施の形態１と同様の処理で再度ＡＦセッション確立を実施し、増加要求帯域によるＡＦセッション確立が、過去に運用ポリシーによって拒否されている場合、要求帯域の増加を実施しないように制御することとした。これにより、ＡＦセッションが拒絶される可能性を低減することができる。
【００２８】
実施の形態３．
つづいて、実施の形態３の帯域設定方法について説明する。なお、実施の形態３の帯域設定方法を実現可能な通信システムの概略構成については、前述した実施の形態１および２と同様のためその説明を省略する。また、実施の形態３のＵＥの概略構成については、前述した実施の形態２と同様である。本実施の形態においては、前述した実施の形態２と異なる処理について説明する。
【００２９】
本実施の形態においては、前述した実施の形態１における、要求帯域を増加する調整した後の再度のＡＦセッション確立を実施せず、代わりに、送信元と送信先を識別するためのフロー識別子，使用アプリケーション，上記増加された要求帯域を対応付けて、ＩＣＦ３１に保持する。
【００３０】
そして、ＡＦセッション制御部２１は、新規のＡＦセッションを確立する際に、当該ＡＦセッションにおけるフロー識別子および使用アプリケーションに基づいて、ＩＣＦ３１から上記増加された要求帯域を取得する。すなわち、ＡＦセッション制御部２１は、この増加された要求帯域を使用して、新規のＡＦセッションを確立する。
【００３１】
このように、本実施の形態においては、前述した実施の形態１と同様の処理で要求帯域を調整し、その後、当該調整後の要求帯域をセッション情報とともに保存しておくこととした。これにより、ＡＦセッション確立時に、調整後の要求帯域を使用してセッションを確立することができる。
【００３２】
実施の形態４．
つづいて、本発明にかかる最大ビットレート決定方法について説明する。なお、実施の形態４の最大ビットレート決定方法を実現可能な通信システムの概略構成については、前述した実施の形態１、２および３と同様のためその説明を省略する。また、実施の形態４のＵＥの概略構成については、前述した実施の形態２および３と同様である。本実施の形態においては、前述した実施の形態２および３と異なる処理について説明する。
【００３３】
たとえば、前述した実施の形態１〜３においては、ｂパラメータを使用して、インターワーク制御部２３が、「ＵＭＴＳ  ＱｏＳパラメータ」へのマッピング処理を実施している。この際、本実施の形態では、使用アプリケーションとともに上りおよび下り最大ビットレートを、ＩＣＦ３１に保持しておく。
【００３４】
そして、ＡＦセッション制御部２１は、新規のＡＦセッションを確立する際に、ＳＤＰ記述のｂパラメータが設定されていない場合に、ＡＦセッションの使用アプリケーションを用いてＩＣＦ３１から上りおよび下り最大ビットレートを取得する。この値を、ＵＭＴＳのＱｏＳパラメータとする。
【００３５】
このように、本実施の形態においては、ＡＦセッション確立時にｂパラメータが設定されていない場合であっても、過去に保存しておいた情報を利用して上りおよび下り最大ビットレートを決定することができる。
【００３６】
実施の形態５．
つづいて、実施の形態５の最大ビットレート決定方法について説明する。なお、実施の形態５の最大ビットレート決定方法を実現可能な通信システムの概略構成については、前述した実施の形態４と同様のためその説明を省略する。また、実施の形態５のＵＥの概略構成については、前述した実施の形態４と同様である。本実施の形態においては、前述した実施の形態４と異なる処理について説明する。
【００３７】
たとえば、前述した実施の形態４においては、使用アプリケーションと上りおよび下り最大ビットレートとを、ＩＣＦ３１に保持しているが、本実施の形態においては、さらに、フロー識別子も同様に保持しておく。
【００３８】
そして、ＡＦセッション制御部２１は、新規のＡＦセッションを確立する際に、ＳＤＰ記述のｂパラメータが設定されていない場合に、ＡＦセッションのフロー識別子および使用アプリケーションを用いて、ＩＣＦ３１から上りおよび下り最大ビットレートを取得する。この値を、ＵＭＴＳのＱｏＳパラメータとする。
【００３９】
このように、本実施の形態においては、前述した実施の形態４において保存した情報に、さらにフロー識別子を追加することとした。これにより、より詳細な情報に基づいて上りおよび下り最大ビットレートを決定することができる。
【産業上の利用可能性】
【００４０】
以上のように、本発明にかかる帯域設定方法は、ＵＭＴＳにおいて有用であり、特に、ｂパラメータの設定値が実際の要求帯域に則していない状況における帯域設定方法として適している。
【図面の簡単な説明】
【００４１】
【図１】通信システムの概略構成を示す図である。
【図２】ＵＥの概略構成を示す図である。
【図３】ＵＥ間でＡＦセッションを確立する際のシーケンスの一例を示す図である。
【図４】ＵＥの概略構成を示す図である。
【符号の説明】
【００４２】
１ａ，１ｂ  ＵＥ（User  Equipment）
２ａ，２ｂ  ＲＮＳ（Radio  Network  System）
３ａ，３ｂ  ＣＮ（Core  Network）
４ａ，４ｂ  ＡＦ（Application  Function）
５ａ，５ｂ  ＰＤＦ（Policy  Decision  Function）
２１  ＡＦセッション制御部（AF  Client）
２２  ＩＰ通信制御部（IP  BS  Manager）
２３  インターワーク制御部（Translation/mapping  Function）
２４  ＵＭＴＳベアラサービス制御部（UMTS  BS  Manager）
２５  ピークレート測定部（Peak  Rate  Measurement  Function）
２６  レート比較部（Rate  Comparing  Function）
３１  ＩＣＦ（Information  Cache  Function）部
【図１】
2008177777.tif 000003
【図２】
2008177777.tif 000004
【図３】
2008177777.tif 000005
【図４】
2008177777.tif 000006